(57)【要約】【課題】  原料空気を予め適温に調整することにより冷却機の除湿冷却効率を向上させると共に、環境、季節等の温湿度の変化に対する影響を受けることなくオゾンガス生成装置から所定量のオゾンガスを生成させることにより、安定したオゾン含有量を有するオゾン水を生成することが可能なオゾン水生成装置を提供する。【解決手段】  原料空気を冷却機３によって除湿すると共に冷却し、この除湿冷却された空気をオゾンガス生成装置５に導入してオゾンガスを生成せしめ、このオゾンガスと原料水とをオゾンガス注入部９により混合してオゾン水を生成するオゾン水生成装置における原料空気は、原料水またはオゾン水を流通する流路に設けた予備冷却手段１０によって冷却され、この冷却原料空気を冷却機３に導入させるように構成する。【選択図】  図１
2005060139.tif 000002
【特許請求の範囲】
【請求項１】
原料空気を冷却機によって除湿すると共に冷却し、この除湿冷却された空気をオゾンガス生成装置に導入してオゾンガスを生成せしめ、このオゾンガスと原料水とをオゾンガス注入部により混合してオゾン水を生成するオゾン水生成装置において、
前記原料空気は、前記原料水またはオゾン水を流通する流路に設けた予備冷却手段によって冷却され、この冷却原料空気を前記冷却機に導入させたことを特徴とするオゾン水生成装置。
【請求項２】
前記予備冷却手段は、予備冷却室と、この予備冷却室内に配設した前記原料水またはオゾン水によって冷却する予備冷却機と、前記予備冷却室内の冷却空気を原料空気として前記冷却機に取り込む請求項１に記載のオゾン水生成装置。
【請求項３】
前記予備冷却手段の予備冷却機は、前記原料水またはオゾン水を流通させる配管にヒートシンク部を形成して前記冷却室内の空気を冷却する請求項２に記載のオゾン水生成装置。
【請求項４】
前記冷却機は、ペルチェ素子によって構成され、このペルチェ素子の放熱部を前記原料水により冷却させた請求項１に記載のオゾン水生成装置。
【請求項５】
前記冷却機は、冷却フィンと冷却室の内壁によって仕切られた長尺の冷却用通路が形成され、前記冷却フィンと前記ペルチェ素子の冷却部とを熱伝導させると共に、前記冷却用通路に前記原料空気を流通させた請求項１および４に記載のオゾン水生成装置。
【請求項６】
前記冷却機は、冷却用通路が前記冷却フィンを螺旋状に形成することによって螺旋状に形成され、螺旋状の冷却用通路内に前記原料空気を流通させた請求項５に記載のオゾン水生成装置。
【請求項７】
前記冷却機は、送出口と、この送出口よりも下方に配設された取込口と、この取込口よりも下方に設置されたドレイン口を有し、前記冷却室内に結露した水分を下方のドレイン口から排出した請求項５および６に記載のオゾン水生成装置。
【請求項８】
前記冷却機は、前記予備冷却機の内部に配設され、この予備冷却機内の原料空気が前記冷却機に取り込まれる請求項１乃至６に記載のオゾン水生成装置。
【発明の詳細な説明】
【技術分野】
【０００１】
本発明は、放電体の放電によりオゾンを発生させる方式のオゾン発生装置から得られるオゾンを原料水に混合させてオゾン水を生成するオゾン水生成装置に関し、特にオゾン発生装置に対して適正な原料空気を導入するオゾン水生成装置に関する。
【背景技術】
【０００２】
従来から、オゾン水生成装置は各種用途に使用され、特に細菌の発生や繁殖を抑制する必要がある食堂やレストラン、学校等の飲食関係、病院等の医療関係、あるいは、プール水の殺菌等において使用される水として、殺菌作用を付加したオゾン水が多用されるようになっている。このような用途に使用されるオゾン水生成装置は、一般に酸素を含有する空気を原料ガスとして、この空気中の酸素を放電体の放電によりオゾンを生成させ、このオゾンを水道水等の原料水に混合させることによってオゾン水を生成している。
【０００３】
一般的に使用されているオゾン発生装置は、放電体の放電によりオゾンを生成させることから、原料空気の温度および湿度によって生成効率が大きく変化することが知られている。つまり、原料空気の温度が高くなるに従ってオゾンの生成率が低下し、また、原料空気の湿度が高くなるに従って放電体の周囲に窒素酸化物が生成され、これが放電体に付着することによって放電効率が低下してオゾンの生成効率が低下する。特に、放電体の周囲に窒素酸化物が生成した場合には、これを除去することができないために、放電体を交換しなくてはならない問題が生ずる。しかし、窒素酸化物の生成は使用者に認識できないために、オゾン水生成装置から流出する水のオゾン含有量が著しく低下し、実質的に効果がない水であっても、正規のオゾン水と誤って認識して使用する重大な問題が生ずる。
【０００４】
このような問題は、特に食堂やレストラン等の厨房に発生し易い。すなわち、調理のために火等の熱源を使用するために大量の水蒸気が発生することから、厨房室内は著しく高湿度になる。このような厨房内の空気を原料空気として使用した場合には、短時間に放電体へ窒素酸化物が生成することから、オゾンの生成は激減し、オゾン水として機能しないようになる。
【０００５】
上述した原料空気の湿度に起因する問題を解決するために、一般には、例えばシリカゲル等の吸湿剤を用いて原料空気を除湿した後に、除湿後の原料空気をオゾン発生装置に供給してオゾンを生成させるようにしている。このような除湿手段は、シリカゲル等の吸湿剤の吸湿能力に限界があることから、吸湿剤を頻繁に交換する必要がある。しかし、この交換作業を使用者が行うことは困難なために、交換時期を過ぎても放置してしまい、上述したような問題が発生することが多々あった。
【０００６】
この問題を改善するために、適当な時期にシリカゲル等の吸湿剤の吸湿能力を回復させる機能を有するオゾン水生成装置も実用化されている。すなわち、吸湿剤によって原料空気を除湿する形式のオゾン水生成装置は、図５に示すように、フィルター１０１を介して取り込まれた原料空気１００を一対の除湿器１０３、１０４の一方に導入する。除湿器１０３、１０４は、内部にシリカゲルからなる除湿剤１０３ａ、１０４ａが備えられ、この除湿剤１０３ａ、１０４ａの内部を原料空気１００が流通することにより除湿される。このように除湿された原料空気１００は、オゾンガス発生装置１０５に供給される。オゾンガス発生装置１０５は、前述したように、内部に放電体１０５ａを備え、この放電体１０５ａに高圧電源装置１０６から高圧電源を加えて放電させることによりオゾンガスを生成させている。そして、このオゾンガスを注入部１０７に送り、原料水１０８にオゾンガスを混合させてオゾン水１０９を生成するようにしている。
【０００７】
除湿器１０３、１０４に備えられたシリカゲルによって原料空気１００が除湿され、吸湿能力に達したシリカゲルは、除湿器１０３、１０４内に設けたヒーター１０３ｂ、１０４ｂによって加熱することによって回復させる。このようにシリカゲルを回復させる間は原料空気１００の除湿機能を停止させるために一対の除湿器１０３、１０４が設けられ、この切換動作は原料空気１００の搬送流路中に直列に設けた各電磁弁１１０、１１１の切換操作によって行われる。なお、除湿器１０３、１０４内のヒーター１０３ｂ、１０４ｂや電磁弁１１０、１１１の切換操作等は、図示しないコントローラによって自動的に行われる。
【０００８】
このようにして自動的に除湿器１０３、１０４内の除湿剤１０３ａ、１０４ａを回復させることによって除湿機能を延命させているが、ヒーター１０３ｂ、１０４ｂによって加熱された除湿剤１０３ａ、１０４ａにより原料空気１００が加熱されることから、オゾンの発生効率が低下する問題は依然として解消されない。そこで、被処理ガス（原料空気）を除湿し、且つ冷却可能な電子冷却の原理を利用した除湿器により除湿冷却された処理ガスからオゾンガスを生成させるオゾン発生機を備えたオゾン発生装置が特開平６−１２７９０４号公報（特許文献１）に示されている。すなわち、吸気口から冷却室に流入した被処理ガス（原料空気）が除湿器によって除湿冷却した後、被処理ガスをオゾン発生機の吸気口に供給することによりオゾンガスを生成している。このように、被処理ガスを冷却することによって湿度と温度を低下させるので、オゾンガス生成効率を高めることが可能となる。
【０００９】
しかしながら、上述した特許文献１に開示されたオゾン発生装置を前述した厨房等の比較的高温多湿の環境下に設置した場合には、除湿器の能力の限界から所定の湿度と温度の被処理ガス（原料空気）を得ることができず、十分に機能を発揮できない。この結果、オゾン発生装置としての信頼性を著しく損なう問題が生ずる。必要な機能を向上させるためには、除湿器の能力を大きくしなければならず、必然的にコストが高くなると共に、多くの消費電力を必要とするため、市場および環境問題から求められるニーズに応えられない問題が残されている。
【００１０】
【特許文献１】特開平６−１２７９０４号公報
【発明の開示】
【発明が解決しようとする課題】
【００１１】
本発明が解決しようとする課題は、原料空気を予め適温に調整することにより冷却機の除湿冷却効率を向上させると共に、環境、季節等の温湿度の変化に対する影響を受けることなくオゾンガス生成装置から所定量のオゾンガスを生成させることにより、安定したオゾン含有量を有するオゾン水を生成することが可能なオゾン水生成装置を提供することにある。
【課題を解決するための手段】
【００１２】
上記課題を達成するため、請求項１の発明は、原料空気を冷却機によって除湿すると共に冷却し、この除湿冷却された空気をオゾンガス生成装置に導入してオゾンガスを生成せしめ、このオゾンガスと原料水とをオゾンガス注入部により混合してオゾン水を生成するオゾン水生成装置において、前記原料空気は、前記原料水またはオゾン水を流通する流路に設けた予備冷却手段によって冷却され、この冷却原料空気を前記冷却機に導入させるように構成したことを要旨とする。
【００１３】
また請求項２の発明は、前記予備冷却手段は、予備冷却室と、この予備冷却室内に配設した前記原料水またはオゾン水によって冷却する予備冷却機と、前記予備冷却室内の冷却空気を原料空気として前記冷却機に取り込むように構成したことを要旨とする。
【００１４】
さらに請求項３の発明は、前記予備冷却手段の予備冷却機は、前記原料水またはオゾン水を流通させる配管にヒートシンク部を形成して前記冷却室内の空気を冷却するように構成したことを要旨とする。
【００１５】
さらにまた請求項４の発明は、前記冷却機は、ペルチェ素子によって構成され、このペルチェ素子の放熱部を前記原料水により冷却するように構成したことを要旨とする。
【００１６】
また請求項５の発明は、前記冷却機は、冷却フィンと冷却室の内壁によって仕切られた長尺の冷却用通路が形成され、前記冷却フィンと前記ペルチェ素子の冷却部とを熱伝導させると共に、前記冷却用通路に前記原料空気を流通させるように構成したことを要旨とする。
【００１７】
また請求項６の発明は、前記冷却機は、冷却用通路が前記冷却フィンを螺旋状に形成することによって螺旋状に形成され、螺旋状の冷却用通路内に前記原料空気を流通させるように構成したことを要旨とする。
【００１８】
また請求項７の発明は、前記冷却機は、送出口と、この送出口よりも下方に配設された取込口と、この取込口よりも下方に設置されたドレイン口を有し、前記冷却室内に結露した水分を下方のドレイン口から排出するように構成したことを要旨とする。
【００１９】
また請求項８の発明は、前記冷却機は、前記予備冷却機の内部に配設され、この予備冷却機内の原料空気が前記冷却機に取り込まれるように構成したことを要旨とする。
【発明の効果】
【００２０】
本発明によれば、原料空気を原料水またはオゾン水を流通する流路に設けた予備冷却手段により冷却して冷却機に導入するように構成することによって、原料空気が予め適温に調整されるので、冷却機の除湿冷却効率を向上させることが可能となる。さらに、原料空気を温度調整することによって、環境、季節等の温湿度の変化に対する影響を受けることなくオゾンガス生成装置から所定量のオゾンガスを発生させることが可能となり、安定したオゾン含有量を有するオゾン水を生成することが可能となる。
【００２１】
また、請求項２に記載の発明によれば、予備冷却手段として、原料水またはオゾン水が流通する予備冷却室を設け、この予備冷却室によって原料水またはオゾン水の温度に冷却された室内の空気を原料空気として引き出して冷却機に取り込むように構成することによって、原料空気の温度を環境、季節等の変化に関わりなくほぼ安定させることが可能となる。しかも、予備冷却の冷媒として原料水またはオゾン水を使用するので、安価に構成することが可能となる。さらに、原料空気の温度を安定化させることにより、オゾンガス生成機からオゾンガスを安定して生成させることが可能になると共に、オゾン水のオゾン含有量を安定化させることが可能となる。
【００２２】
さらに、請求項３に記載の発明によれば、原料水またはオゾン水を流通させる予備冷却室内の配管にヒートシンク部を形成することによって、原料空気とする室内空気の冷却効率を向上させることが可能となる。
【００２３】
さらにまた、請求項４に記載の発明によれば、冷却機のペルチェ素子の放熱部を原料水によって冷却するので、原料水を流通させることによりペルチェ素子を効率良く冷却することが可能となる。また、冷却に使用する原料水はオゾン水に生成されるので、ペルチェ素子の冷却コストを無視可能なレベルに低減することが可能になる。
【００２４】
また、請求項５に記載の発明によれば、冷却機に、冷却フィンと冷却室の内壁によって仕切られた長尺の冷却用通路を形成して原料空気を流通させるので、冷却機自体を小型化しても効率よく原料空気を冷却することが可能となる。
【００２５】
また、請求項６に記載の発明によれば、冷却機の冷却用通路を、冷却フィンによって螺旋状に形成しているので、螺旋状の冷却用通路内に原料空気を流通させることによって、小型の冷却機であっても効率よく冷却することが可能となる。
【００２６】
また、請求項７に記載の発明によれば、冷却機の送出口を上方に形成し、ドレイン口を下方に形成することによって、冷却室内に結露した水分を自重により下方のドレイン口から円滑に排出させることが可能となる。このとき、冷却用通路を螺旋状に形成することにより、結露した水分が斜面に沿って下降するので、効率よく排出することが可能となる。
【００２７】
また、請求項８に記載の発明によれば、冷却機を予備冷却機の内部に配設し、この予備冷却機内の空気を原料空気として冷却機に取り込むので、原料空気を取り込むための配管等が不要になり、装置の小型化と低コスト化が実現できる。
【発明を実施するための最良の形態】
【００２８】
オゾン水生成装置において、オゾンガス生成装置に導入してオゾンガスを生成させる原料空気を、冷却機に導入する前に、原料水またはオゾン水を流通させる流路に設けた予備冷却手段によって冷却して、原料空気の温度をほぼ安定させる。冷却機はこの安定温度の原料空気が導入されることによって環境、季節等の変化に関わらず、安定した状態で原料空気を除湿冷却してオゾンガス生成装置に適した原料空気が生成される。これにより、オゾンガス生成装置から環境変化等に影響されずに安定したオゾンガスが生成され、このオゾンガスを原料水に混合することによって、安定したオゾン含有量を有するオゾン水を安定して供給可能とする。
【実施例１】
【００２９】
図１は、本発明によるオゾン水生成装置の全体構成を示す構成図である。オゾン水生成装置１は、大別すると、オゾンガスを生成するためのガス生成経路と、オゾン水を生成するための水経路から構成されている。まず、ガス生成経路は、オゾンガスを生成するために必要な酸素を含有する原料空気を取り込む取込口２、原料空気を所定の温度と湿度とするための冷却機３、原料空気を経路内に搬送するための搬送ポンプ４、原料空気中の酸素を放電体５１の放電によりオゾンガスを生成させるオゾンガス生成装置５、これらの間に原料空気を流通させる配管６、および、上記オゾンガス生成装置５の放電体５１に高電圧を印加するための高電圧電源７を備えている。図１において、上記ガス生成経路は点線の矢印で示し、水経路は、実線の矢印で示している。
【００３０】
一方、水経路は、原料水を取り込む取込口８、上記オゾンガス生成装置５によって生成されたオゾンガスを原料水に注入してオゾン水を生成するオゾンガス注入部９、上記オゾン水によって上記原料空気を予備冷却する予備冷却機１０、予備冷却機１０を介してオゾン水を流出させる流出口１４、および、これら水経路に原料水またはオゾン水を流通させる配管１５を備えている。
【００３１】
上述したガス生成経路において、原料空気を除湿冷却するための冷却手段としてペルチェ素子３１が使用され、図４に示すように、このペルチェ素子３１の冷却側には冷却機３が配設されている。冷却機３は、筐体３２の内部に螺旋状の冷却用通路３３が形成されている。すなわち、筐体３２内の冷却室３４は略円筒状に形成され、この冷却室３４には、螺旋状の冷却フィン３５が内装されている。冷却フィン３５は、軸芯の周囲にフィンが螺旋状に突出形成され、フィンの頂部を結ぶ仮想の外径が略円柱状に形成されている。そして、冷却フィン３５の頂部を冷却室３４の内壁に接合することによって、冷却室３４の内部には、螺旋状の冷却フィン３５によって仕切られた冷却用通路３３が形成される。このように形成された冷却用通路３３は、螺旋状に形成していることから、冷却室３４の長さよりも約３倍の長尺に形成される。
【００３２】
上記冷却フィン３５および筐体３２は、熱伝導率が高い銅或いはアルミニウム等の金属材によって形成され、筐体３２の外面を上記ペルチェ素子３１の冷却側に接合することによって、筐体３２を介して冷却フィン３５が冷却される。
【００３３】
冷却機３は、図４に示すような縦型の姿勢で、後述する予備冷却室１１の内部に配設される。この姿勢において、筐体３２の上方端には原料空気を送出するための送出口３６が設けられ、下方近傍には原料空気を取り込むための取込口３７が設けられ、さらに、取込口３６の下方であって筐体３２の下方端にはドレイン口３８が設けられている。また、筐体３２は、断熱体３９によって被覆されていて、上記ペルチェ素子３１によって冷却された冷却室３４の内部を保冷している。
【００３４】
そして、予備冷却室１１内の原料空気は、取込口３７から冷却室３４に取り込まれ、ペルチェ素子３１により冷却された冷却用通路３３を流通して送出口３６から送出される。原料空気は長尺に形成された冷却用通路３３を流通する間に、所定の温度に冷却される。また、このように原料空気が冷却されることによって除湿される。このとき、原料空気内の湿気が冷却フィン３５に結露して水滴となり、螺旋状に形成された冷却フィン３５の斜面を下降し、やがて下方端のドレイン口３８に到達して外部に排出される。このように、冷却フィン３５を螺旋状に形成することによって、内部が結露しても水滴を常時排出させることができる。冷却機３によって除湿冷却した後に、送出口３５から送出された原料空気は、オゾンガス生成装置５に導入される。
【００３５】
オゾンガス生成装置５は、原料空気の温度と湿度によってオゾンガスの生成効率が変化することが知られている。すなわち、原料空気の温度が高い場合には、酸素濃度が低下するために、オゾンガスの生成が少ない。また、湿度が高い場合には、前述したように、放電体５１に窒素酸化物が蓄積してオゾンガスの生成効率を低下させてしまう。このため、オゾンガス生成装置５に導入する原料空気の温湿度管理が必要なことから、冷却機３とオゾンガス生成装置５との間には温度センサ１６が設けられている。そして、温度センサ１６の出力信号に基づいて、上記ペルチェ素子３１を制御することにより原料空気がオゾンガス生成装置５にとって適温となるように設定している。
【００３６】
また、上記ペルチェ素子３１は、冷却側で冷却する一方、放熱側では熱が上昇することから、ペルチェ素子３１の放熱側を冷却する必要がある。このため、本発明においては、原料水によって冷却するように構成している。すなわち、上記ペルチェ素子３１の放熱側には、図４に示すように、冷却板１７が面接合されている。この冷却板１７のペルチェ素子３１に対応する位置には空洞部１７ａが形成され、この空洞部１７ａは固定板１８によって閉塞されている。固定板１８には、原料水を吸水する吸水口１９、および、排出口２０が設けられている。そして、吸水口１９は、原料水を取り込む取込口８から水量制限オリフィス２１を介して配管１５を分岐させた冷却水取入口２２に接続されている。また、排出口２０は、取込口８の近傍から分岐させた冷却水戻し口２３に接続されている。
【００３７】
そして、冷却水取入口２２から取り込まれた原料水は、吸水口１９から空洞部１７ａ内を経由して、排出口２０から冷却水戻し口２３に戻され、原料水が空洞部１７ａ内を流通する間にペルチェ素子３１から発せられる熱を吸収して、ペルチェ素子３１が効率的に動作する温度まで冷却する。このように、ペルチェ素子３１の冷却媒体として原料水を用いることにより、冷却手段を簡易な構成でしかも低コストにすることができる。
【００３８】
一方、上述したペルチェ素子３１を使用した冷却機３における冷却能力には限界を有している。この冷却機３が小型であっても高効率で作動させるために、本発明においては、冷却機３によって除湿冷却する原料空気を、予備冷却機１０により予め冷却するように構成している。すなわち、冷却機３の冷却室３３に取り込まれる原料空気を、予備冷却機１０の予備冷却室１１内から取り込むように構成している。
【００３９】
予備冷却機１０は、オゾンガス注入部９の下流側であって、オゾンガス注入部９によって生成されたオゾン水を流出させる流出口１４に至るまでの間に設けられている。この予備冷却機１０は、図２および図３に示すように、配管１５をコイル状に巻回すことによって冷却部１２を構成している。つまり、冷却部１２は、コイル状に巻回すことによって配管１５の表面積を大きくしたヒートシンク部として機能させている。なお、冷却効率を高めるために、配管１５にフィンを設けてさらに表面積を大きくしても良い。また、冷却部１２の周囲は断熱材１３によってシールされた予備冷却室１１が形成されていて、この予備冷却室１１は上記冷却部１２によって冷却される。
【００４０】
このように、オゾン水が冷却部１２を流通することによって、予備冷却室１１の内部が冷却される。そして、前述したように、冷却機３を予備冷却室１１の内部に配設することによって、予備冷却室１１内の空気を原料空気として冷却機３の冷却室３４に取り込まれる。この予備冷却室１１内の温度は、オゾン水の温度までである。通常の場合、原料水としては水道水が使用されることから、一般的に摂氏２０度前後の水道水を使用したときには、オゾン水の温度もおよそ摂氏２０度前後になる。従って、オゾン水によって冷却される予備冷却室１１内の温度は、最大で摂氏２０度前後であることから、冷却機３の冷却室３４に取り込まれる原料空気の温度は、およそ摂氏２０度前後となる。
【００４１】
通常の水道水の温度は、季節によって大きく変化しない。このため、冷却機３に取り込まれる原料空気の温度は、季節による温度変化、あるいは、厨房等の比較的高温多湿の環境など、設置場所の環境変化によって大きく変化することがない。この結果、冷却機３に与える負荷は季節や環境変化に影響されることなくほぼ一定となるので、冷却機３を最大効率で安定して作動させることが可能となる。
【００４２】
なお、上述した予備冷却機１０について、オゾンガス注入部９の下流側に設けてオゾン水を流通させるようにしたが、原料水の取込口８とオゾンガス注入部９との間に設けても良い。このように構成した場合には、原料水を流通させることによって予備冷却室１１の内部が冷却される。
【００４３】
次に、上述したように構成したオゾン水生成装置１の動作について説明する。オゾンガスを生成するために必要な酸素を有する原料空気は、搬送ポンプ４によって予備冷却機１０の予備冷却室１１の内部から取り込まれ、冷却機３の冷却室３４に取り込まれる。この原料空気は予備冷却機１０によって、およそオゾン水の温度まで予め冷却されている。通常の場合、空気中の酸素濃度は２１％であるが、この酸素濃度は気温が上昇するに従って低下する。従って、高温多湿の環境において上記酸素濃度を確保するために、原料空気を予備冷却機１０によって所定の温度に設定することが重要となる。
【００４４】
予備冷却された原料空気は、冷却機３の冷却室３４に取り込まれ、冷却機３に設けたペルチェ素子３１によって冷却された長尺の冷却用通路３３を流通することによって冷却されると共に除湿される。冷却機３によって除湿冷却された原料空気は、温度が摂氏１度〜１０数度、湿度が４０％以下になり、後段のオゾンガス生成装置５によってオゾンガスを生成するために最適な温湿度に設定される。このとき、冷却機３に取り込まれる原料空気の温度を予め下げているので、冷却機３の除湿冷却効率を向上することができる。
【００４５】
このように除湿冷却された原料空気は、搬送ポンプ４によってオゾンガス生成装置５に導入され、原料空気からオゾンガスが生成される。搬送ポンプ４とオゾンガス生成装置５との間には、逆止弁２４が介在され、原料空気の逆流を防止している。オゾンガス生成装置５は周知であり、詳細な説明は省略するが、高電圧電源６によって放電体５１に高電圧を印加することにより放電させて、原料空気中の酸素からオゾンガスを生成させている。オゾンガス生成装置５に導入される原料空気中には、窒素が約７９％含まれることから、放電体５１が放電することにより窒素酸化物が生成され、放電体５１の電極に付着する。この現象は、湿度が高いほど生成され易いが、上述した原料空気は、湿度を低下させているので、窒素酸化物の生成が大幅に抑制される。
【００４６】
オゾンガス生成装置５によって生成されたオゾンガスは、逆止弁２５を介してオゾンガス注入部９に送り込まれる。オゾンガス注入部９の構成は周知であり、その詳細な説明は省略するが、通常の状態において、純粋な水の成分は約６０％程度と言われている。従って、残余の部分にオゾンガスが注入され、約２％程度のオゾン水が生成される。このようにオゾンガス注入部９によって生成されたオゾン水は、前述した予備冷却機１０を経由して流出口１４から流出される。
【００４７】
なお、ガス生成経路において、原料空気およびオゾンガスを流通させる搬送ポンプ４を駆動するモータ２６、オゾンガス生成装置５に導入する原料空気の温度を検出する温度センサ１６、この温度センサ１６の検出信号に基づいて制御されるペルチェ素子３１、および、オゾンガス生成装置５の放電体５１に高電圧を供給する高電圧電源７は、コントローラ２７によって制御されている。また、コントローラ２７には表示装置２８が接続され、各種の動作状況を表示するようにしている。
【産業上の利用可能性】
【００４８】
本発明は、例えば、食堂やレストラン、あるいは学校等の厨房にて、各種食材の殺菌洗浄、病院等の医療関係における医療器具の殺菌洗浄、また、プール水の殺菌等において使用されるオゾン水を供給する装置に適用可能である。
【図面の簡単な説明】
【００４９】
【図１】本発明にかかるオゾン水生成装置の全体構成を示す構成図である。
【図２】本発明にかかるオゾン水生成装置を示す上面図である。
【図３】本発明にかかるオゾン水生成装置を示す正面図である。
【図４】本発明にかかる冷却機を示す断面図である。
【図５】従来のオゾン水生成装置を示す構成図である。
【符号の説明】
【００５０】
１      オゾン水生成装置
２      取込口
３      冷却機
５      オゾンガス生成装置
５１    放電体
６      配管（ガス生成経路用）
８      取込口
９      オゾンガス注入部
１０    予備冷却機
１１    予備冷却室
１２    冷却部
１４    流出口
１７    冷却板
１７ａ  空洞部
１９    吸水口
２０    排水口
２２    冷却水取入口
２３    冷却水戻し口
３１    ペルチェ素子
３３    冷却用通路
３４    冷却室
３５    冷却フィン
３６    送出口
３７    取込口
３８    ドレイン口
【図１】
2005060139.tif 000003
【図２】
2005060139.tif 000004
【図３】
2005060139.tif 000005
【図４】
2005060139.tif 000006
【図５】
2005060139.tif 000007